(57)【要約】      （修正有）【課題】リモコンによる再生や記録などの基本操作を簡単に行う。【解決手段】システムコントローラは、再生キーの押下による再生キー信号であることを識別する（Ｓ１）と、識別された再生キー信号が、再生キーの２秒以上の押下により、２秒以上入力されたか否かを判定する（Ｓ２）。２秒以上入力されたと判定したときに、タイトルの再生中であれば、再生を停止させ、再生中でなければ、再生キーによる操作を無効にする（Ｓ３〜５）。再生キー信号が２秒以上入力されなかったときには、現在の状態が停止中であれば、タイトルの再生を開始させる（Ｓ６〜７）。現在の状態が停止中ではなく、再生中であれば、一時停止させ、現在の状態が停止中でなく、且つ再生中ではなく、一時停止中または早送り中あるいは早戻し中であれば、タイトルの再生を開始させる（Ｓ８〜１１）。【選択図】図４
2009048733.tif 000002
【特許請求の範囲】
【請求項１】
リモコンにより操作が可能であり、記録媒体に情報を記録したり、記録媒体に記録された情報を再生したりする情報記録再生装置において、
前記リモコンの複数の操作キーのうち、頻繁に使用される特定の操作キーのみを備えた簡易リモコンを設けて構成し、
受信した信号が前記簡易リモコンからの何れの操作キーからのキー信号であるかを識別するキー信号識別手段と、
前記識別されたキー信号が当該操作キーの所定時間以上の押下により所定時間以上入力されたか否かを判定する信号入力時間判定手段と、
前記識別されたキー信号が所定時間以上入力されたと判定されたときに第１の所定処理を実行させる第１の実行手段と、
前記識別されたキー信号が所定時間以上入力されなかったと判定されたときに第２の所定処理を実行させる第２の実行手段と、を備えたことを特徴とする情報記録再生装置。
【請求項２】
前記第１の実行手段により実行される第１の所定処理とは、当該操作キーが再生キーの場合、記録媒体の情報の再生中であれば、再生を停止させる処理であり、再生中でなければ、前記再生キーによる操作を無効にする処理であることを特徴とする請求項１に記載の情報記録再生装置。
【請求項３】
前記第２の実行手段により実行される第２の所定処理とは、当該操作キーが再生キーの場合、現在の状態が停止中であれば、再生を開始させる処理と、現在の状態が停止中ではなく、再生中であれば、再生を一時停止させる処理と、現在の状態が停止中でなく、且つ再生中でなく、一時停止中または早送り中あるいは早戻し中であれば、再生を開始させる処理であることを特徴とする請求項１に記載の情報記録再生装置。
【請求項４】
前記第１の実行手段により実行される第１の所定処理とは、当該操作キーが記録キーの場合、記録媒体への情報の記録中であれば、記録を停止させる処理であり、記録中でなければ、前記記録キーによる操作を無効にする処理であることを特徴とする請求項１に記載の情報記録再生装置。
【請求項５】
前記第２の実行手段により実行される第２の所定処理とは、当該操作キーが記録キーの場合、現在の状態が停止中であれば、記録を開始させる処理と、現在の状態が停止中ではなく、記録中であれば、記録を一時停止させる処理と、現在の状態が停止中でなく、且つ記録中でなく、記録一時停止中であれば、記録を開始させる処理であることを特徴とする請求項１に記載の情報記録再生装置。
【発明の詳細な説明】
【技術分野】
【０００１】
本発明は、リモコンにより操作が可能であり、記録媒体に情報を記録したり、記録媒体に記録された情報を再生したりする情報記録再生装置に関し、特に、リモコンの操作に関する。
【背景技術】
【０００２】
従来から、ハードディスクレコーダ、ＤＶＤレコーダ、ビデオカッセトレコーダなど、情報記録再生装置では、遠隔操作するためのリモコン（リモートコントローラ）が付属品として用意されている。このようなリモコンは、情報記録再生装置の機能が年々増加しているため、それに伴って、各機能毎に操作キーが割り振りされ、操作キーの個数も増加する傾向にある。
【特許文献１】特開平１１−１７５０９９号公報
【発明の開示】
【発明が解決しようとする課題】
【０００３】
しかしながら、ユーザにとっては、リモコンの操作キーが多くなると、当然のことながら目的の操作キーを捜すのが煩わしく、頻繁に使用する操作キーでも見つけるのが分かり難いと言う課題があった。
【０００４】
なお、特許文献１の従来技術は、携帯用音響再生装置におけるフォワードスイッチやリバーススイッチなどの操作の仕方で動作状態を変えられるようにしたものであり、記録媒体に情報を記録したり、記録媒体に記録された情報を再生したりする情報記録再生装置におけるリモコン操作については開示されていない。
【０００５】
本発明は、上記のような課題を解決するためになされたもので、頻繁に使用する操作キーのみを備えた簡易リモコンを設けることにより、例えば、再生や記録などの基本操作を簡単に行える情報記録再生装置を提供することを目的とする。
【課題を解決するための手段】
【０００６】
上記目的を達成するために、請求項１の発明は、リモコンにより操作が可能であり、記録媒体に情報を記録したり、記録媒体に記録された情報を再生したりする情報記録再生装置において、前記リモコンの複数の操作キーのうち、頻繁に使用される特定の操作キーのみを備えた簡易リモコンを設けて構成し、受信した信号が前記簡易リモコンからの何れの操作キーからのキー信号であるかを識別するキー信号識別手段と、前記識別されたキー信号が当該操作キーの所定時間以上の押下により所定時間以上入力されたか否かを判定する信号入力時間判定手段と、前記識別されたキー信号が所定時間以上入力されたと判定されたときに第１の所定処理を実行させる第１の実行手段と、前記識別されたキー信号が所定時間以上入力されなかったと判定されたときに第２の所定処理を実行させる第２の実行手段とを備えたことを特徴とする情報記録再生装置を提供する。
【０００７】
この構成において、キー信号識別手段は、受信した信号が簡易リモコンからの何れの操作キーからのキー信号であるかを識別し、信号入力時間判定手段は、前記識別されたキー信号が当該操作キーの所定時間以上の押下により所定時間以上入力されたか否かを判定する。前記識別されたキー信号が所定時間以上入力されたと判定されたとき、第１の実行手段は、第１の所定処理を実行させる。前記識別されたキー信号が所定時間以上入力されなかったと判定されたときには、第２の実行手段は、第２の所定処理を実行させる。
【０００８】
この構成によれば、頻繁に使用する操作キーのみを備えた簡易リモコンを設け、操作キーの押下時間により、第１の所定処理と第の所定処理を区別して、実行させることができるので、単純なキー操作を実現でき、これにより、例えば、再生や記録などの基本操作を簡単に行えるようになり、ユーザにとっては使い勝手が向上する。
【０００９】
請求項２の発明では、請求項１の発明において、前記第１の実行手段により実行される第１の所定処理とは、当該操作キーが再生キーの場合、記録媒体の情報の再生中であれば、再生を停止させる処理であり、再生中でなければ、前記再生キーによる操作を無効にする処理であるので、再生キーの操作により、再生を停止させることができ、停止キーを設けなくても、再生を停止させることが可能になる。
【００１０】
請求項３の発明では、請求項１の発明において、前記第２の実行手段により実行される第２の所定処理とは、当該操作キーが再生キーの場合、現在の状態が停止中であれば、再生を開始させる処理と、現在の状態が停止中ではなく、再生中であれば、再生を一時停止させる処理と、現在の状態が停止中でなく、且つ再生中でなく、一時停止中または早送り中あるいは早戻し中であれば、再生を開始させる処理であるので、再生キーの操作により、再生の開始や再生の一時停止を実行させることができ、一時停止キーを設けなくても、再生を一時停止させることが可能になる。
【００１１】
請求項４の発明では、請求項１の発明において、前記第１の実行手段により実行される第１の所定処理とは、当該操作キーが記録キーの場合、記録媒体への情報の記録中であれば、記録を停止させる処理であり、記録中でなければ、前記記録キーによる操作を無効にする処理であるので、記録キーの操作により、記録を停止させることができ、停止キーを設けなくても、記録を停止させることが可能になる。
【００１２】
請求項５の発明では、請求項１の発明において、前記第２の実行手段により実行される第２の所定処理とは、当該操作キーが記録キーの場合、現在の状態が停止中であれば、記録を開始させる処理と、現在の状態が停止中ではなく、記録中であれば、記録を一時停止させる処理と、現在の状態が停止中でなく、且つ記録中でなく、記録一時停止中であれば、記録を開始させる処理であるので、記録キーの操作により、記録の開始や記録の一時停止を実行させることができ、一時停止キーを設けなくても、記録を一時停止させることが可能になる。
【発明の効果】
【００１３】
以上のように本発明によれば、頻繁に使用する操作キーのみを備えた簡易リモコンに設け、操作キーの押下時間により、第１の所定処理と第の所定処理を区別して、実行させることができるので、単純なキー操作を実現でき、これにより、例えば、再生や記録などの基本操作を簡単に行えるようになり、ユーザにとっては使い勝手が向上する。
【発明を実施するための最良の形態】
【００１４】
以下、添付図面を参照しつつ、本発明の実施の形態について説明する。図１は本発明の一実施形態に係る情報記録再生装置としての複合型記録再生装置の構成を示すブロック図である。ここでは、情報記録再生装置としては、ハードディスク装置（ハードディスクレコーダ）と光ディスク装置（ＤＶＤレコーダ）とが組み込まれた複合型記録再生装置について説明するが、ハードディスク装置とＶＣＲ（ビデオカセットレコーダ）とが組み込まれた複合型記録再生装置、ハードディスク装置と光ディスク装置とＶＣＲとが組み込まれた複合型記録再生装置でも良い。また、情報記録再生装置としては、単体のハードディスク装置、光ディスク装置、ＶＣＲであっても良い。
【００１５】
図１において、複合型記録再生装置１は、ＤＶＤ（デジタル・バーサタイル・ディスク）、ＢＤ（ブルーレイ・ディスク）、ＣＤ（コンパクト・ディスク）などの光ディスク１５に対して情報の記録／再生を行う光ディスク装置２と、ＨＤ（ハードディスク）１４に対して情報の記録／再生を行うＨＤＤ（ハードディスクドライブ）であるハードディスク装置３と、図示しないアンテナからのテレビ放送信号を受信し、所望のチャンネルのテレビ放送信号を選択して映像音声信号として出力するチューナ４と、光ディスク装置２またはハードディスク装置３またはチューナ４から出力された映像音声信号を復号するデコーダ５と、チューナ４が受信可能な放送チャンネルを記憶すると共に、システムコントローラ１０の動作に必要なプログラムやデータ、あるいは予約情報などを記憶するフラッシュＲＯＭ６と、システムコントローラ１０の動作に必要なデータを一時的に記憶するＲＡＭ１６とを備えている。
【００１６】
また、この複合型記録再生装置１は、デコーダ５で復号された映像信号をテレビジョン受像機１３のディスプレイ装置１３１で表示可能な映像信号に変換する映像出力部７と、記録予約画面や再生リストなどをテレビジョン受像機１３のディスプレイ装置１３１に表示させるためのＯＳＤ（オン・スクリーン・ディスプレイ）部１２と、デコーダ５で復号された音声信号をテレビジョン受像機１３のスピーカ１３２で出力可能な音声信号に変換する音声出力部８と、リモコン１１や簡易リモコン１７から送信された赤外光の各種のキー信号を受信し、受信した赤外光のキー信号を電気信号のキー信号に変換し、このキー信号をシステムコントローラ１０に入力するリモコン受信部９と、装置全体を制御する図示しないＣＰＵなどで構成される前記システムコントローラ１０とを備えている。
【００１７】
システムコントローラ１０は、受信した信号が簡易リモコン１７からの何れの操作キーからのキー信号であるかを識別するキー信号識別手段と、前記識別されたキー信号が当該操作キーの所定時間以上の押下により所定時間以上入力されたか否かを判定する信号入力時間判定手段と、前記識別されたキー信号が所定時間以上入力されたと判定されたときに第１の所定処理を実行させる第１の実行手段と、前記識別されたキー信号が所定時間以上入力されなかったと判定されたときに第２の所定処理を実行させる第２の実行手段とを備えている。
【００１８】
前記第１の実行手段により実行される第１の所定処理とは、当該操作キーが再生キーの場合、記録媒体（ＨＤ１４または光ディスク１５）の情報の再生中であれば、再生を停止させる処理であり、再生中でなければ、前記再生キーによる操作を無効にする処理である。前記第２の実行手段により実行される第２の所定処理とは、当該操作キーが再生キーの場合、現在の状態が停止中であれば、再生を開始させる処理と、現在の状態が停止中ではなく、再生中であれば、再生を一時停止させる処理と、現在の状態が停止中でなく、且つ再生中でなく、一時停止中または早送り中あるいは早戻し中であれば、再生を開始させる処理である。
【００１９】
前記第１の実行手段により実行される第１の所定処理とは、当該操作キーが記録キーの場合、記録媒体への情報の記録中であれば、記録を停止させる処理であり、記録中でなければ、前記記録キーによる操作を無効にする処理である。前記第２の実行手段により実行される第２の所定処理とは、当該操作キーが記録キーの場合、現在の状態が停止中であれば、記録を開始させる処理と、現在の状態が停止中ではなく、記録中であれば、記録を一時停止させる処理と、現在の状態が停止中でなく、且つ記録中でなく、記録一時停止中であれば、記録を開始させる処理である。
【００２０】
図２は本実施形態においてリモコンのキー配置の一例を示す図である。図２において、リモコン１１の操作パネル２００には、ＴＶ電源キー２１１、入力切換キー２１２、レコーダ電源キー２１３、音量キー２１４、複数の数字キー２１５、再生リストキー２１６、機能一覧キー２１７、上方向キー２１８、下方向キー２１９、左方向キー２２０、右方向キー２２１、決定キー２２２、メニューキー２２３、記録キー２２４、一時停止キー２２５、早戻しキー２２６、停止キー２２７、再生キー２２８、早送りキー２２９、スキップキー２３０、ＨＤＤモード切換キー２３１、ＤＶＤモード切換キー２３２、番組表キー２３３などが配置されている。なお、ここでのキーの配置、キーの種類、およびキーの個数は一例であるので、これに限ることはない。
【００２１】
図３は本実施形態において簡易リモコンのキー配置の一例を示す図である。図３において、リモコン１７の操作パネル１７０には、再生キー１７１と記録キー１７２が配置されている。なお、ここでは、操作キーとして、再生キー１７１と記録キー１７２を示したが、これに限らず、その他、頻繁に使用するような操作キーがあれば、その操作キーを追加しても良い。
【００２２】
図４は本実施形態において簡易リモコンの再生キーが操作された場合の処理を説明するためのフローチャートである。このフローチャートおよび図１〜図３を参照して簡易リモコンの再生キーが操作された場合の処理について説明する。ここでは、ＨＤ１４に記録されているタイトルを再生する場合について説明するが、光ディスク１５に記録されているタイトルを再生する場合でも、簡易リモコン１７の使い方は同じである。
【００２３】
リモコン１１のＴＶ電源キー２１１の押下により、テレビジョン受像機１３の主電源がオンされ、また、リモコン１１のレコーダ電源キー２１３の押下により、複合型記録再生装置１の主電源がオンされる。そして、ＨＤ１４に記録されているタイトルを再生するため、ＨＤＤモード切換キー２３１を押下して、複合型記録再生装置１のモードをＨＤＤモードに設定する。
【００２４】
この後、再生リストキー２１６を押下することにより、テレビジョン受像機１３のディスプレイ装置１３１に再生リストを表示させ、再生したいタイトルを上方向キー２１８や下方向キー２１９を押下して選択する。次に、リモコン１１の再生キー２２８または決定キー２２２を押下すれば、前記選択されたタイトルが再生されるが、ここでは、簡易リモコン１７の再生キー１７１を押下して、前記選択されたタイトルを再生する場合について説明する。なお、タイトルを選択しない場合は、リモコン１１の再生キー２２８または簡易リモコン１７の再生キー１７１を押下すれば、再生リストで示されるタイトルが順次再生される。
【００２５】
簡易リモコン１７の再生キー１７１が押下されると、簡易リモコン１７から赤外光の再生キー信号が送信される。リモコン受信部９は、その赤外光の再生キー信号を受信して、電気信号の再生キー信号に変換し、この再生キー信号をシステムコントローラ１０に与える。なお、リモコン１１の再生キー２２８の押下による再生キー信号と、簡易リモコン１７の再生キー１７１の押下による再生キー信号とを区別するために、簡易リモコン１７から送信される再生キー信号には、簡易リモコン１７を示す固有情報が含まれている。
【００２６】
システムコントローラ１０のキー信号識別手段は、受信した信号が簡易リモコン１７からの何れの操作キーからのキー信号であるかを識別し、この結果、再生キー１７１の押下による再生キー信号であることを識別すると（ステップＳ１）、システムコントローラ１０の信号入力時間判定手段は、前記識別された再生キー信号が再生キー１７１の所定時間（例えば２秒）以上の押下により、所定時間（例えば２秒）以上入力されたか否かを判定する（ステップＳ２）。
【００２７】
前記識別された再生キー信号が所定時間（例えば２秒）以上入力されたと判定されたときに、システムコントローラ１０の第１の実行手段は、ハードディスク装置３が再生動作し、ＨＤ１４に記録されているタイトルの再生中であれば（ステップＳ３）、再生を停止させ（ステップＳ５）、再生中でなければ、再生キー１７１による操作を無効にする（ステップＳ４）。
【００２８】
前記識別された再生キー信号が所定時間（例えば２秒）以上入力されなかったと判定されたときには、システムコントローラ１０の第２の実行手段は、現在の状態が停止中であれば（ステップＳ６）、ハードディスク装置３を再生動作させ、ＨＤ１４に記録されているタイトルの再生を開始させる（ステップＳ７）。
【００２９】
また、第２の実行手段は、現在の状態が停止中ではなく（ステップＳ６）、再生中であれば（ステップＳ８）、ハードディスク装置３の再生動作を一時停止させ（ステップＳ９）、現在の状態が停止中でなく（ステップＳ６）、且つ再生中ではなく（ステップＳ８）、一時停止中または早送り中あるいは早戻し中であれば（ステップＳ１０）、ハードディスク装置３を再生動作させ、ＨＤ１４に記録されているタイトルの再生を開始させる（ステップＳ１１）。
【００３０】
図５本実施形態において簡易リモコンの記録キーが操作された場合の処理を説明するためのフローチャートである。このフローチャートおよび図１〜図３を参照して簡易リモコンの記録キーが操作された場合の処理について説明する。ここでは、ＨＤ１４にテレビ番組を記録する場合について説明するが、光ディスク１５にテレビ番組を記録する場合でも、簡易リモコン１７の使い方は同じである。
【００３１】
リモコン１１のＴＶ電源キー２１１の押下により、テレビジョン受像機１３の主電源がオンされ、また、リモコン１１のレコーダ電源キー２１３の押下により、複合型記録再生装置１の主電源がオンされる。そして、ＨＤ１４に記録されているタイトルを再生するため、ＨＤＤモード切換キー２３１を押下して、複合型記録再生装置１のモードをＨＤＤモードに設定する。そして、ユーザが、チューナ４で選局されたテレビ番組をテレビジョン受像機１３で視聴しているとする。
【００３２】
このとき、テレビ番組をＨＤ１４に記録させたいため、簡易リモコン１７の記録キー１７２が押下されると、簡易リモコン１７から赤外光の記録キー信号が送信される。リモコン受信部９は、その赤外光の記録キー信号を受信して、電気信号の記録キー信号に変換し、この記録キー信号をシステムコントローラ１０に与える。なお、リモコン１１の記録キー２２８の押下による記録キー信号と、簡易リモコン１７の記録キー１７１の押下による記録キー信号とを区別するために、簡易リモコン１７から送信される記録キー信号には、簡易リモコン１７を示す固有情報が含まれている。
【００３３】
システムコントローラ１０のキー信号識別手段は、受信した信号が簡易リモコン１７からの何れの操作キーからのキー信号であるかを識別し、この結果、記録キー１７２の押下による記録キー信号であることを識別すると（ステップＮ１）、システムコントローラ１０の信号入力時間判定手段は、前記識別された記録キー信号が記録キー１７２の所定時間（例えば２秒）以上の押下により、所定時間（例えば２秒）以上入力されたか否かを判定する（ステップＮ２）。
【００３４】
前記識別された記録キー信号が所定時間（例えば２秒）以上入力されたと判定されたときに、システムコントローラ１０の第１の実行手段は、ハードディスク装置３が記録動作し、ＨＤ１４にテレビ番組を記録中であれば（ステップＮ４）、記録を停止させ（ステップＮ６）、記録中でなければ、記録キー１７２による操作を無効にする（ステップＮ５）。
【００３５】
前記識別された記録キー信号が所定時間（例えば２秒）以上入力されなかったと判定されたときには、システムコントローラ１０の第２の実行手段は、現在の状態が停止中であれば（ステップＮ３）、ハードディスク装置３を記録動作させ、ＨＤ１４にテレビ番組の記録を開始させる（ステップＳ７）。
【００３６】
また、第２の実行手段は、現在の状態が停止中ではなく（ステップＮ３）、記録中であれば（ステップＮ８）、ハードディスク装置３の記録動作を一時停止させ（ステップＮ９）、現在の状態が停止中でなく（ステップＮ３）、且つ記録中ではなく（ステップＮ８）、記録一時停止中であれば（ステップＮ１０）、ハードディスク装置３を記録動作させ、ＨＤ１４にテレビ番組の記録を開始させる（ステップＮ１１）。
【００３７】
なお、本実施形態における簡易リモコン１７では、再生キー１７１と記録キー１７２を設けたが、その他、頻繁に使用する操作キーがあれば、その操作キーを追加しても良い。
【００３８】
以上説明したように本実施形態によれば、頻繁に使用する再生キー１７１と記録キー１７２を備えた簡易リモコン１７を設け、再生キー１７１や記録キー１７２の押下時間により、第１の所定処理と第の所定処理を区別して、実行させるようにしたので、単純なキー操作を実現でき、これにより、例えば、再生や記録などの基本操作を簡単に行えるようになり、ユーザにとっては使い勝手が向上する。
【００３９】
前記第１の実行手段により実行される第１の所定処理とは、当該操作キーが再生キー１７１の場合、記録媒体の情報の再生中であれば、再生を停止させる処理であり、再生中でなければ、再生キー１７１による操作を無効にする処理であるので、再生キー１７１の操作により、再生を停止させることができ、停止キーを設けなくても、再生を停止させることが可能になる。
【００４０】
前記第２の実行手段により実行される第２の所定処理とは、当該操作キーが再生キー１７１の場合、現在の状態が停止中であれば、再生を開始させる処理と、現在の状態が停止中ではなく、再生中であれば、再生を一時停止させる処理と、現在の状態が停止中でなく、且つ再生中でなく、一時停止中または早送り中あるいは早戻し中であれば、再生を開始させる処理であるので、再生キー１７１の操作により、再生の開始や再生の一時停止を実行させることができ、一時停止キーを設けなくても、再生を一時停止させることが可能になる。
【００４１】
前記第１の実行手段により実行される第１の所定処理とは、当該操作キーが記録キー１７２の場合、記録媒体への情報の記録中であれば、記録を停止させる処理であり、記録中でなければ、記録キー１７２による操作を無効にする処理であるので、記録キー１７２の操作により、記録を停止させることができ、停止キーを設けなくても、記録を停止させることが可能になる。
【００４２】
前記第２の実行手段により実行される第２の所定処理とは、当該操作キーが記録キー１７２の場合、現在の状態が停止中であれば、記録を開始させる処理と、現在の状態が停止中ではなく、記録中であれば、記録を一時停止させる処理と、現在の状態が停止中でなく、且つ記録中でなく、記録一時停止中であれば、記録を開始させる処理であるので、記録キー１７２の操作により、記録の開始や記録の一時停止を実行させることができ、一時停止キーを設けなくても、記録を一時停止させることが可能になる。
【産業上の利用可能性】
【００４３】
本発明は、ハードディスク装置（ハードディスクレコーダ）、光ディスク装置（ＤＶＤレコーダやＢＤレコーダなど）、ビデオカセットレコーダなど、情報記録再生装置に利用可能であり、簡易リモコンを設けることにより、頻繁に使用する基本的な操作を簡単に行うことができるようになる。
【図面の簡単な説明】
【００４４】
【図１】本発明の一実施形態に係る情報記録再生装置としての複合型記録再生装置の構成を示すブロック図である。
【図２】前記実施形態においてリモコンのキー配置の一例を示す図である。
【図３】前記実施形態において簡易リモコンのキー配置の一例を示す図である。
【図４】前記実施形態において簡易リモコンの再生キーが操作された場合の処理を説明するためのフローチャートである。
【図５】前記実施形態において簡易リモコンの記録キーが操作された場合の処理を説明するためのフローチャートである。
【符号の説明】
【００４５】
１    複合型記録再生装置（情報記録再生装置）
１０    システムコントローラ（キー信号識別手段、信号入力時間判定手段、第１の実行手段、第２の実行手段）
１１    リモコン
１４    ハードディスク（記録媒体）
１５    光ディスク（記録媒体）
１７    簡易リモコン
１７１    再生キー
１７２    記録キー
【図１】
2009048733.tif 000003
【図２】
2009048733.tif 000004
【図３】
2009048733.tif 000005
【図４】
2009048733.tif 000006
【図５】
2009048733.tif 000007